(57)【要約】      （修正有）【課題】部品点数が少なく、簡単な操作で選択したドライバービットを使用できる状態や、収納状態に容易にセットすることができるとともに、不用意にドライバービットが突出したりするのを簡単に阻止することができる組ドライバーを提供する。【解決手段】保持リング４と、複数個のキャップ嵌合片と、キャップ５と、長孔状のガイド溝と、輪郭形状の支持体と、複数個の係合凹部とで組ドライバー１，１Ａを構成した。【選択図】図１
2008055538.tif 000002
【特許請求の範囲】
【請求項１】
先端中央部に使用するドラーバービットの後端部を着脱可能で、かつ回動不能に支持する支持凹部が形成された握り柄と、この握り柄の外周部に所定間隔で軸心方向に形成されたドライバービットを抜け脱不能でスライド移動可能で、かつ前記支持凹部へ導くことができる複数個のドライバービット挿入溝と、この複数個のドライバービット挿入溝にそれぞれ挿入された後端部に前記支持凹部と回転不能に支持される支持部を有する複数個のドライバービットと、前記握り柄の先端部寄りの外周部を覆い、前記複数個のドライバービット挿入溝内に挿入されたドライバービットの種類を表示するドライバービット表示が形成された保持リングと、前記握り柄の先端外周部寄りの部位で、前記ドライバービット挿入溝を除く部位より外方へ突出するように形成された複数個のキャップ嵌合片と、この複数個のキャップ嵌合片に着脱可能でかつ回動可能に取付けられたキャップと、このキャップの天板に形成され、前記複数個のドライバービット挿入溝に挿入されたドライバービットのいずれか１個のドライバービットを根元部を除く部位を外方へ突出させ、前記支持凹部へ導く長孔状のガイド溝と、前記キャップの天板の前記ガイド溝の中央部側の周壁の内壁面に内側へ突出するように一体形成されたほぼ前記ドライバービットの支持部の輪郭形状の支持体と、前記キャップの開口端部の内壁面に形成された、該キャップのガイド溝へ前記複数個のドライバービットが入り込むのを阻止できる回転部位に係止できるように前記複数個のキャップ嵌合片に形成された係止片と係止される複数個の係合凹部とからなることを特徴とする組ドライバー。
【請求項２】
握り柄の支持凹部は六角形状の溝で、複数個のドライバービットの根元部は軸部よりも外方へ突出する六角形状に形成されるとともに、ドライバービットを支持凹部に支持させ、キャップのガイド溝へ他のドライバービットが入り込まない部位へ回動させると支持体の下端部がドライバービットの根元部の外方へ突出している部位と係合して、ドライバービットの支持凹部からの抜け脱を阻止できるようにしたことを特徴とする請求項１記載の組ドライバー。
【請求項３】
保持リングのドライバービット表示間にドライバービットの移動を阻止する位置表示が形成されていることを特徴とする請求項１、２いずれかに記載の組ドライバー。
【発明の詳細な説明】
【技術分野】
【０００１】
本発明は握り柄に複数本のドライバービットをスライド移動可能に収納し、使用時に握り柄の先端部に選択したドライバービットを位置させて使用することができる組ドライバーに関する。
【背景技術】
【０００２】
従来、この種の組ドライバーは握り柄に収納した６本のドライバービットのうちの使用するドライバービットを選択する握り柄の先端部に回転可能に取付けられたセレクト筒と、このセレクト筒に回転可能に取付けられた選択したドライバービットを握り柄の先端部の支持凹部へ回転不能に支持できるように導くとともに、ドライバービットの不必要な突出を阻止する長孔およびＣ字状の支持体が形成されたキャップとで構成されている。
【０００３】
このため、握り柄の先端部にセレクト筒とキャップとを設けているため、構造が複雑で、コスト高になるという欠点があるとともに、セレクト筒の回転とキャップの回転とによって操作が複雑で、必要なドライバービットを使用できる状態へのセットや、使用状態のドライバービットの収納が複雑で、面倒であるという欠点があった。
【特許文献１】Ｕ．Ｓ．Ｐ  ５２２８３６３
【発明の開示】
【発明が解決しようとする課題】
【０００４】
本発明は以上のような従来の欠点に鑑み、部品点数が少なく、簡単な操作で選択したドライバービットを使用できる状態や、収納状態に容易にセットすることができるとともに、不用意にドライバービットが突出したりするのを簡単に阻止することができる組ドライバーを提供することを目的としている。
【０００５】
また、本発明は使用中のドライバービットの移動や、他のドライバービットのスライド移動を簡単な操作で阻止することができる組ドライバーを提供することを他の目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は先端中央部に使用するドラーバービットの後端部を着脱可能で、かつ回動不能に支持する支持凹部が形成された握り柄と、この握り柄の外周部に所定間隔で軸心方向に形成されたドライバービットを抜け脱不能でスライド移動可能で、かつ前記支持凹部へ導くことができる複数個のドライバービット挿入溝と、この複数個のドライバービット挿入溝にそれぞれ挿入された後端部に前記支持凹部と回転不能に支持される支持部を有する複数個のドライバービットと、前記握り柄の先端部寄りの外周部を覆い、前記複数個のドライバービット挿入溝内に挿入されたドライバービットの種類を表示するドライバービット表示が形成された保持リングと、前記握り柄の先端外周部寄りの部位で、前記ドライバービット挿入溝を除く部位より外方へ突出するように形成された複数個のキャップ嵌合片と、この複数個のキャップ嵌合片に着脱可能でかつ回動可能に取付けられたキャップと、このキャップの天板に形成され、前記複数個のドライバービット挿入溝に挿入されたドライバービットのいずれか１個のドライバービットを根元部を除く部位を外方へ突出させ、前記支持凹部へ導く長孔状のガイド溝と、前記キャップの天板の前記ガイド溝の中央部側の周壁の内壁面に内側へ突出するように一体形成されたほぼ前記ドライバービットの支持部の輪郭形状の支持体と、前記キャップの開口端部の内壁面に形成された、該キャップのガイド溝へ前記複数個のドライバービットが入り込むのを阻止できる回転部位に係止できるように前記複数個のキャップ嵌合片に形成された係止片と係止される複数個の係合凹部とで組ドライバーを構成している。
【発明の効果】
【０００８】
以上の説明から明らかなように、本発明にあっては次に列挙する効果が得られる。
【０００９】
（１）複数個のキャップ嵌合片に着脱可能でかつ回動可能に取付けられたキャップと、このキャップの天板に形成され複数個のドライバービット挿入溝に挿入されたドライバービットのいずれか１個のドライバービットを根元部を除く部位を外方へ突出させ、支持凹部へ導く長孔状のガイド溝と、キャップの天板のガイド溝の中央部側の周壁の内壁面に内側へ突出するように一体形成されたほぼドライバービットの支持部の輪郭形状の支持体と、キャップの開口端部の内壁面に形成された、該キャップのガイド溝へ複数個のドライバービットが入り込むのを阻止できる回転部位に係止できるように複数個のキャップ嵌合片に形成された係止片と係止される複数個の係合凹部とで構成されているので、握り柄の先端部に取付けられるガイド溝、支持体、複数個の係合凹部が形成されたキャップの１部品で、選択したドライバービットの使用できる状態へのセット、使用状態での不使用のドライバービットの突出の阻止および、使用状態のドライバービットの収納をキャップ１個の回動操作で行なうことができる。
したがって、操作が容易で、従来のように混乱したりするのを確実に防止することができる。
【００１０】
（２）前記（１）によって、構造が簡単で、コストの低減を図ることができる。
【００１１】
（３）前記（１）によって、キャップを回転するだけで使用するドライバービットの選択、不使用時のドライバービットの突出の阻止ができ、誰でもが混乱することなく、間違いなく操作することができる。
【００１２】
（４）請求項2も前記（１）〜（３）と同様な効果が得られるとともに、キャップの回動によって使用中のドライバービットの移動の阻止を図ることができる。
【００１３】
（５）請求項３も前記（１）〜（３）と同様な効果が得られるとともに、使用中のドライバービットの移動を阻止できる位置へキャップを容易に回動させることができる。
【発明を実施するための最良の形態】
【００１４】
以下、図面に示す本発明を実施するための最良の形態により、本発明を詳細に説明する。
【００１５】
図１ないし図１６に示す本発明を実施するための最良の第１の形態において、１は本発明の組ドライバーで、この組ドライバー１は握り柄２と、この握り柄２の外周部に所定間隔で軸心方向にスライド移動可能に取付けられた６本のドライバービット３、３、３、３、３、３と、前記握り柄２の先端部寄りの部位に取付けられた保持リング４と、前記握り柄２の先端部に取付けられたキャップ５とで構成されている。
【００１６】
前記握り柄２は図３ないし図５に示すように握り柄本体６と、この握り柄本体６の先端部の中央部に使用するドライバービット３の後端部を着脱可能でかつ回転不能に支持する六角形状の溝で形成した支持凹部７と、この支持凹部７に支持されるドライバービット３の支持部を磁力で吸着できるように取付けられた磁石８と、前記握り柄本体６の外周部に所定間隔で軸心方向に形成されたドライバービットを抜け脱不能でスライド移動可能で、かつ前記支持凹部７へ導くことができるほぼ六角形状の輪郭形状の６個のドライバービット挿入溝９、９、９、９、９、９と、前記握り柄本体６の先端部寄りの外周部に形成された保持リング支持部１０と、前記握り柄本体６の先端外周部寄りの部位で前記ドライバービット挿入溝９、９、９、９、９、９を除く部位より外方へ突出するように形成された外側面に嵌合突起１１と係止片１２がそれぞれ形成された６個のキャップ嵌合片１３、１３、１３、１３、１３、１３とで構成されている。
【００１７】
前記６本のドライバービット３、３、３、３、３、３は図６に示すように丸棒状の軸１４と、この軸１４の後端部に一体形成された、該軸１４の外周部より外方へ突出する六角形状の前記支持凹部７に支持される支持部１５と、前記軸１４の先端部に形成された大＋、小＋、大−、小−、スクリュ、キリ等の形状の先端部１６とで構成されている。
【００１８】
前記保持リング４は図７に示すように、前記握り柄本体６の保持リング支持部１０に支持されるリング状の保持リング本体１７と、この保持リング本体１７の前記６本のドライバービット３、３、３、３、３、３が位置する部位の外周部にプリントで形成されたドライバービットの種類を表示するドライバービットの表示１８、１８、１８、１８、１８、１８と、このドライバービットの表示１８、１８、１８、１８、１８、１８のほぼ中央部の保持リング本体１７の先端部側の外周部にプリントで形成されたロック表示１９、１９、１９、１９、１９、１９とで構成されている。
【００１９】
前記キャップ５は図８ないし図１２に示すように、前記握り柄２のキャップ嵌合片１３、１３、１３、１３、１３、１３と着脱可能でかつ回転可能に取付けられるキャップ本体２０と、このキャップ本体２０の周壁板２１の外周部に形成された位置決め表示２２と、この位置決め表示２２と対応する部位の天板２３に形成された選択されたドライバービット３が抜け脱不能に突出し、前記支持凹部７へ支持させることができるように導くことができる長孔状のガイド溝２４と、前記キャップ本体２０の天板２３のガイド溝２４の中央部側の周壁の内壁面に内側へ突出するように一体形成された前記支持部１５の輪郭状の支持体２５と、前記キャップ本体２０の周壁板２１の開口端部の内壁面に所定間隔で形成された、前記係止片１２とクリック状に係合されるドライバービット使用時用の５個の係合凹部２６、２６、２６、２６、２６、２６とロック時用の６個の係合凹部２６Ａ、２６Ａ、２６Ａ、２６Ａ、２６Ａと、前記天板２３の上面に形成され、回転方向を示す矢印２７とで構成されている。
【００２０】
上記構成の組ドライバー１を使用する場合、図１３に示すように使用するドライバービットの表示１８にキャップ５を回動させて位置決め表示２２を位置させる。
しかる後、図１４に示すように握り柄２の先端部を下方に位置させると、使用するドライバービット３がキャップ５のガイド溝２４より先端部が突出するが、後端部の支持部１５はガイド溝２４より大きく外部へ脱落することがない。
【００２１】
次に、先端部が外方へ突出したドライバービット３を持って、該ドライバービット３の支持部１５を中央部へガイド溝２４に沿って移動させ、支持凹部７へ押し込むことにより、磁石８で吸着された状態となる。
この状態で使用してもよいが、図１５に示すようにキャップ５を少し回転させて、キャップ５の位置決め表示２２をロック表示１９に位置させることにより、図１６に示すようにドライバービット３の支持部１５が支持凹部７より抜けないように支持体２５の下端部が位置するので、使用中にドライバービット３の支持部１５が支持凹部７から外れるのを確実に防止でき、安全に使用することができる。
【００２２】
使用したドライバービット３を収納する場合には、ドライバービット３が収納されていないドライバービットの表示１８にキャップ５の位置決め表示２２を位置させ、ドライバービット３を上方へ移動させた後、ガイド溝２４に沿って外周部へ位置させて下方へ押し込む、あるいは握り柄２の先端部を上方へ位置させることにより、ドライバービット３をドライバービット挿入溝９へ挿入される。
ドライバービット３がドライバービット挿入溝９に挿入されたところで、キャップ５を少し回転させて位置決め表示２２をロック表示１９に位置させることにより、キャップ５のガイド溝２４はドライバービット挿入溝９、９、９、９、９、９のいずれにも連通していない状態となり、不使用時に握り柄２よりドライバービット３、３、３、３、３、３が外方へ突出するのを確実に防止することができる。
[発明を実施するための異なる形態]
【００２３】
次に、図１７ないし図１９に示す本発明を実施するための異なる形態につき説明する。なお、この本発明を実施するための異なる形態の説明に当って、前記本発明を実施するための最良の第１の形態と同一構成部分には同一符号を付して重複する説明を省略する。
【００２４】
図１７ないし図１９に示す本発明を実施するための第２の形態において、前記本発明を実施するための最良の第１の形態と主に異なる点は、ドライバービットの表示１８、１８、１８、１８、１８、１８およびロック表示１９、１９、１９、１９、１９、１９を突起部で表示した保持リング４Ａを用いた点で、このように構成した組ドライバー１Ａにしても、前記本発明を実施するための最良の第１の形態と同様な作用効果が得られる。
【産業上の利用可能性】
【００２５】
本発明は組ドライバーを製造する産業で利用される。
【図面の簡単な説明】
【００２６】
【図１】本発明を実施するための最良の第１の形態の正面図。
【図２】図１の２−２線に沿う断面図。
【図３】本発明を実施するための最良の第１の形態の握り柄の正面図。
【図４】本発明を実施するための最良の第１の形態の握り柄の平面図。
【図５】図４１の５−５線に沿う断面図。
【図６】本発明を実施するための最良の第１の形態のドライバービットの説明図。
【図７】本発明を実施するための最良の第１の形態の保持リングの説明図。
【図８】本発明を実施するための最良の第１の形態のキャップの正面図。
【図９】本発明を実施するための最良の第１の形態のキャップの平面図。
【図１０】本発明を実施するための最良の第１の形態のキャップの底面図。
【図１１】図８の１１−１１線に沿う断面図。
【図１２】図８の１２−１２線に沿う断面図。
【図１３】本発明を実施するための最良の第１の形態の使用する場合の位置決め状態の説明図。
【図１４】本発明を実施するための最良の第１の形態のドライバービットを突出させる状態の説明図。
【図１５】本発明を実施するための最良の第１の形態のロック状態の説明図。
【図１６】図１５の１６−１６線に沿う拡大断面図。
【図１７】本発明を実施するための第２の形態の正面図。
【図１８】図１７の１８−１８線に沿う断面図。
【図１９】本発明を実施するための第２の形態の保持リングの説明図。
【符号の説明】
【００２７】
１、１Ａ：組ドライバー、                        ２：握り柄、
３：ドライバービット、                ４、４Ａ：保持リング、
５：キャップ、                                ６：握り柄本体、
７：支持凹部、                                ８：磁石、
９：ドライバービット挿入溝、    １０：保持リング支持部、
１１：嵌合突起、                            １２：係止片、
１３：キャップ嵌合片、                １４：軸、
１５：支持部、                                １６：先端部、
１７：保持リング本体、                １８：ドライバービットの表示、
１９：ロック表示、                                    ２０：キャップ本体、
２１：周壁板、                                ２２：位置決め表示、
２３：天板、                                                ２４：ガイド溝、
２５：支持体、                                ２６、２６Ａ：係合凹部、
２７：矢印。
【図１】
2008055538.tif 000003
【図２】
2008055538.tif 000004
【図３】
2008055538.tif 000005
【図４】
2008055538.tif 000006
【図５】
2008055538.tif 000007
【図６】
2008055538.tif 000008
【図７】
2008055538.tif 000009
【図８】
2008055538.tif 000010
【図９】
2008055538.tif 000011
【図１０】
2008055538.tif 000012
【図１１】
2008055538.tif 000013
【図１２】
2008055538.tif 000014
【図１３】
2008055538.tif 000015
【図１４】
2008055538.tif 000016
【図１５】
2008055538.tif 000017
【図１６】
2008055538.tif 000018
【図１７】
2008055538.tif 000019
【図１８】
2008055538.tif 000020
【図１９】
2008055538.tif 000021